(57)【特許請求の範囲】
【請求項１】
人体の足に装着可能な、伸縮性を有する踵足首サポーターであって、
それぞれ帯状に形成された足首ベルトと、裏側踵ホールドベルトと、患部押圧ベルトと、後側踵ホールドベルトとを備え、
前記足首ベルトは、前記足の内くるぶし及び外くるぶしの上方で足首に巻き回されることにより前記足首に固定可能に設けられ、
前記裏側踵ホールドベルトは、長手方向の一端部が前記足首ベルトに固定され、該一端部から他端部にかけて前記足首ベルトの下方に向けて延びて設けられ、前記足首ベルトに連続して設けられて前記内くるぶし近傍を覆うことができる内側カバー部と、この内側カバー部に連続して設けられて踵骨前部の足裏を覆うことができる足裏カバー部と、この足裏カバー部に連続して設けられて前記外くるぶし近傍を覆うことができる外側カバー部とを備えており、前記裏側踵ホールドベルトの他端部が前記足首ベルトの外表面に固定されることにより伸張状態で前記足裏を通して前記足に固定可能であり、
前記患部押圧ベルトは、長手方向の一端部が前記裏側踵ホールドベルトに固定され、該一端部から他端部にかけて前記裏側踵ホールドベルトから徐々に離れる方向の斜め前方に延びて設けられ、前記足の外側から前記足の甲側を通して前記足の内側に向かう方向に巻き回されて患部を覆うことができる押圧部を備えており、前記患部押圧ベルトの他端部が前記足首ベルト、前記裏側踵ホールドベルト又は、前記患部押圧ベルトの長手方向の途中位置のいずれかの外表面に固定されることにより伸張状態で前記患部を覆って前記足に固定可能であり、
前記後側踵ホールドベルトは、長手方向の一端部が前記内くるぶし及び前記外くるぶしの下方において前記裏側踵ホールドベルトに固定され、前記裏側踵ホールドベルトから後方に向けて前記足首ベルトと平行に延びて設けられ、前記踵骨近傍の背部を覆うことができる後側カバー部を備えており、前記後側踵ホールドベルトの他端部が前記外側カバー部の外表面に固定されることにより伸張状態で前記背部を覆って前記足の踵に固定可能であることを特徴とする踵足首サポーター。
【請求項２】
前記後側踵ホールドベルトの一端部に、前記裏側踵ホールドベルトの幅方向の前半部側の外表面に固定された固定部と、該固定部に連続して設けられて前記裏側踵ホールドベルトの幅方向の後半部側の外表面に重ねられる重ね合せ部とが形成されていることを特徴とする請求項１に記載の踵足首サポーター。
【請求項３】
前記患部押圧ベルトの内表面に、前記患部を押圧する押圧パッドが、該患部押圧ベルトの長手方向に沿って移動可能に配置されていることを特徴とする請求項１又は２に記載の踵足首サポーター。
【請求項４】
前記患部押圧ベルトの一端部は、前記足裏カバー部に交差して設けられており、前記患部押圧ベルトの一端部には、前記足裏カバー部の幅方向の後半部側及び長手方向の上側にかかる位置において該足裏カバー部の外表面に固定された固定部と、該固定部に連続して設けられて前記足裏カバー部の幅方向の前半部側及び長手方向の下側にかかる位置において該足裏カバー部の外表面に重ねられる重ね合せ部とが形成されていることを特徴とする請求項１から３のいずれか一項に記載の踵足首サポーター。
【請求項５】
前記足首ベルト、前記裏側踵ホールドベルト、前記患部押圧ベルト及び前記後側踵ホールドベルトの各外表面に、面ファスナーのフック面部が設けられるとともに、これらフック面部に対応するループ面部が、前記足首ベルト、前記裏側踵ホールドベルト、前記患部押圧ベルト及び前記後側踵ホールドベルトの外表面のいずれかの部分に設けられていることを特徴とする請求項１から４のいずれか一項に記載の踵足首サポーター。
【発明の詳細な説明】
【技術分野】
【０００１】
本発明は、足首周辺の骨や関節を適切に固定して、足首周辺の骨や関節の矯正を可能にする踵足首サポーターに関する。
【背景技術】
【０００２】
従来、足首の内反による捻挫の防止、保温を目的とした種々のサポーターが用いられている。
【０００３】
例えば、特許文献１では、足首に巻締めるアンカーストラップと、足の外側から甲及び足底を回り、再び甲を通り足の後側に回って８の字状に巻締めるフィギュアエイトストラップとが外側表面に面ファスナーを有する伸縮性のテープ状体で一体に形成され、さらにアンカーストラップに内くるぶしから足底を回り外くるぶしを通って巻締めるスターアップストラップの一端を固定した足関節テーピングサポーターが提案されている。また、特許文献１には、この足関節テーピングサポーターによれば、底屈や背屈を妨げないようにしながら、縦方向に伸縮し難いスターアップストラップを足の内側から足底を回して巻き締めることにより、足首を外反方向に付勢でき、足首の内反、外反を抑制できることが記載されている。
【０００４】
また、特許文献２では、装着時に足先と踵を露出させる筒状部が形成された足関節被覆体と、筒状部の足裏対応部前方において長手方向両端部がフリーとなるように略Ｔ字状に連成された固定用ベルト片とが一体に設けられた足関節サポーターが提案されている。この特許文献２には、足関節被覆体の後背側は、重ね合せ支着片を開くことによりオープン状態とでき、そこから筒状部に足を挿入した後で、重ね合せ支着片を止着固定するとともに、固定用ベルト片の両端を足甲部を経てくるぶし方向へ交差させながら止着固定することにより、足関節サポーターを足関節部に容易に装着でき、足関節部を足関節被覆体と固定ベルト片とにより、強固かつ的確に固定保持できることが記載されている。
【先行技術文献】
【特許文献】
【０００５】
【特許文献１】特開平１０‐２４８８６５号公報
【特許文献２】特許第３９９０４９４号公報
【発明の概要】
【発明が解決しようとする課題】
【０００６】
従来、足首の内反捻挫については、急性期の症状や慢性期に不定期に訪れる痛みには、上述のような足首用サポーターによって対応してきた。しかし、このような内反捻挫用サポーターでは、一部の症状緩和に対応できても、距骨や踵骨の保護、矯正、外傷の症状緩和など、足首周辺に生じる広範囲の不安定症状をサポートすることができず、これらの不安定症状を広範囲でサポート可能なサポーターが望まれていた。
【０００７】
本発明は、このような事情に鑑みてなされたもので、足首周辺の骨及び関節、外傷を効果的に保護することができ、足首周辺の骨や関節の矯正や外傷症状の緩和を可能にする踵足首サポーターを提供することを目的とする。
【課題を解決するための手段】
【０００８】
本発明は、人体の足に装着可能な、伸縮性を有する踵足首サポーターであって、それぞれ帯状に形成された足首ベルトと、裏側踵ホールドベルトと、患部押圧ベルトと、後側踵ホールドベルトとを備え、前記足首ベルトは、前記足の内くるぶし及び外くるぶしの上方で足首に巻き回されることにより前記足首に固定可能に設けられ、前記裏側踵ホールドベルトは、長手方向の一端部が前記足首ベルトに固定され、該一端部から他端部にかけて前記足首ベルトの下方に向けて延びて設けられ、前記足首ベルトに連続して設けられて前記内くるぶし近傍を覆うことができる内側カバー部と、この内側カバー部に連続して設けられて踵骨前部の足裏を覆うことができる足裏カバー部と、この足裏カバー部に連続して設けられて前記外くるぶし近傍を覆うことができる外側カバー部とを備えており、前記裏側踵ホールドベルトの他端部が前記足首ベルトの外表面に固定されることにより伸張状態で前記足裏を通して前記足に固定可能であり、前記患部押圧ベルトは、長手方向の一端部が前記裏側踵ホールドベルトに固定され、該一端部から他端部にかけて前記裏側踵ホールドベルトから徐々に離れる方向の斜め前方に延びて設けられ、前記足の外側から前記足の甲側を通して前記足の内側に向かう方向に巻き回されて患部を覆うことができる押圧部を備えており、前記患部押圧ベルトの他端部が前記足首ベルト、前記裏側踵ホールドベルト又は、前記患部押圧ベルトの長手方向の途中位置のいずれかの外表面に固定されることにより伸張状態で前記患部を覆って前記足に固定可能であり、前記後側踵ホールドベルトは、長手方向の一端部が前記内くるぶし及び前記外くるぶしの下方において前記裏側踵ホールドベルトに固定され、前記裏側踵ホールドベルトから後方に向けて前記足首ベルトと平行に延びて設けられ、前記踵骨近傍の背部を覆うことができる後側カバー部を備えており、前記後側踵ホールドベルトの他端部が前記外側カバー部の外表面に固定されることにより伸張状態で前記背部を覆って前記足の踵に固定可能である。
【０００９】
この踵足首サポーターによれば、足首に巻き回して固定した足首ベルトと、内くるぶし側から踵骨前部の足裏を通して外くるぶし側に巻き返して固定した裏側踵ホールドベルトとにより、踵足首サポーターを足に固定できる。人によって足のサイズは異なるものであるが、足首ベルト及び裏側踵ホールドベルトは、それぞれ帯状のベルトを巻き回して足に装着されるようになっているので、個人の足のサイズに対応して足首ベルトと裏側踵ホールドベルトの配置を微調節することが可能である。したがって、踵足首サポーターを個人の足に対応させて安定して装着できる。
また、この踵足首サポーターでは、後側踵ホールドベルトを、内くるぶし及び外くるぶしの下方において足の内側から踵骨近傍の背部を通して外側に巻き回して固定することで、踵骨の内転予防及び内転した踵骨の矯正を強固に行える。この際、足首ベルトと裏側踵ホールドベルトとは足に安定して固定された状態であるので、後側踵ホールドベルトも安定して固定され、後側踵ホールドベルトにより、踵骨を安定した配置に確実に保持できる。
【００１０】
また、踵足首サポーターに設けられた患部押圧ベルトにより、種々の外傷症状の患部の保護や治療を目的として、患部を被覆したり、さらに押圧したりすることができる。この際、踵足首サポーターにおいては、患部の位置に合わせて、裏側踵ホールドベルトの配置を微調節することが可能であるので、患部押圧ベルトを安定して患部に当てることができる。さらに、裏側踵ホールドベルトから後方に延びて設けられる後側踵ホールドベルトに対して、患部押圧ベルトが裏側踵ホールドベルトから斜め前方に延びて設けられているので、後側踵ホールドベルトを踵に固定する際に、これら患部押圧ベルトと後側踵ホールドベルトとの間で裏側踵ホールドベルトに加えられる張力を均衡させることができる。したがって、後側踵ホールドベルトを安定した状態で踵に強固に固定できる。
このように、踵足首サポーターは、個人差を生じることなく個人の足に安定して装着することが可能であり、これにより、踵骨を安定して保持できるので、確実に踵骨の左右変位を防止、矯正しながら、患部の保護や治療を行える。また、患部押圧ベルトにより各患部を確実に押圧して足首周辺の骨及び関節、外傷を効果的に保護することができるので、足首周辺の骨や関節の矯正や外傷症状を緩和して、自由度の高い治療を行うことができる。
【００１１】
本発明の踵足首サポーターにおいて、前記後側踵ホールドベルトの一端部に、前記裏側踵ホールドベルトの幅方向の前半部側の外表面に固定された固定部と、該固定部に連続して設けられて前記裏側踵ホールドベルトの幅方向の後半部側の外表面に重ねられる重ね合せ部とが形成されていることが好ましい。
この場合、後側踵ホールドベルトを踵に固定する際に、後側踵ホールドベルトの重ね合せ部により、裏側踵ホールドベルトを足の内側に圧迫でき、踵骨を安定して足の内側から外側に向けて強固に押圧でき、踵骨を安定した配置に保持できる。
【００１２】
本発明の踵足首サポーターにおいて、前記患部押圧ベルトの内表面に、前記患部を押圧する押圧パッドが、該患部押圧ベルトの長手方向に沿って移動可能に配置されていることが好ましい。
この場合、患部押圧ベルトの伸張度に応じて、押圧パッドを適切な位置に配置でき、患部を適切に押圧できる。
【００１３】
本発明の踵足首サポーターにおいて、前記患部押圧ベルトの一端部は、前記足裏カバー部に交差して設けられており、前記患部押圧ベルトの一端部には、前記足裏カバー部の幅方向の後半部側及び長手方向の上側にかかる位置において該足裏カバー部の外表面に固定された固定部と、該固定部に連続して設けられて前記足裏カバー部の幅方向の前半部側及び長手方向の下側にかかる位置において該足裏カバー部の外表面に重ねられる重ね合せ部とが形成されていることが好ましい。
【００１４】
この場合、患部押圧ベルトの固定部が、裏側踵ホールドベルトの足裏カバー部の幅方向の後半部側及び長手方向の上側にかかる位置において固定され、その固定部に連続して重ね合せ部が設けられているので、裏側踵ホールドベルトに対する患部押圧ベルトの伸張方向の角度を容易に微調節でき、足首周辺の様々な箇所に生じる患部の位置に合わせて患部押圧ベルトを巻き回すことができ、患部押圧ベルトを安定して患部に当てることができる。また、患部押圧ベルトの重ね合せ部により、裏側踵ホールドベルトの足裏カバー部を足裏に圧迫でき、裏側踵ホールドベルトを足に安定して固定させた状態を保持できる。したがって、裏側踵ホールドベルトが動くことを防止でき、後側踵ホールドベルトを安定した配置に強固に固定することができる。
さらに、押圧パッドを、患部押圧ベルトの付け根の重ね合せ部までの広い範囲で移動できるので、種々の外傷症状に対応できる。
【００１５】
本発明の踵足首サポーターにおいて、前記足首ベルト、前記裏側踵ホールドベルト、前記患部押圧ベルト及び前記後側踵ホールドベルトの各外表面に、面ファスナーのフック面部が設けられるとともに、これらフック面部に対応するループ面部が、前記足首ベルト、前記裏側踵ホールドベルト、前記患部押圧ベルト及び前記後側踵ホールドベルトの外表面のいずれかの部分に設けられていることが好ましい。
この場合、面ファスナーによって任意の位置で各ベルトを固定できるので、足の形状や必要な固定強度に併せて踵足首サポーターによって足首周辺の骨や関節を適切に固定できる。
【発明の効果】
【００１６】
本発明の踵足首サポーターによれば、帯状に形成された足首ベルトと、裏側踵ホールドベルトと、患部押圧ベルトと、後側踵ホールドベルトとを組み合わせることにより、足首周辺の骨及び関節、外傷を効果的に保護することができ、足首周辺の骨や関節の矯正や外傷症状の緩和を可能にできる。
【図面の簡単な説明】
【００１７】
【図１】本発明に係る踵足首サポーターの外表面を示す平面図である。
【図２】図１に示す踵足首サポーターの内表面を示す平面図である。
【図３】母指側から見た右足と踵足首サポーターとを示す図である。
【図４】母指側から見た右足と踵足首サポーターとを示す図であり、足首ベルトと裏側踵ホールドベルトを装着した状態を示す。
【図５】小指側の斜め前方から見た右足と踵足首サポーターとを示す図であり、足首ベルトと裏側踵ホールドベルトを装着した状態を示す。
【図６】小指側の斜め前方から見た右足と踵足首サポーターとを示す図であり、踵足首サポーターの足への装着パターン例を示すものである。
【図７】小指側の斜め前方から見た右足と踵足首サポーターとを示す図であり、踵足首サポーターの足への装着パターン例を示すものである。
【図８】小指側の斜め前方から見た右足と踵足首サポーターとを示す図であり、踵足首サポーターの足への装着パターン例を示すものである。
【図９】母指側から見た右足と踵足首サポーターとを示す図であり、踵足首サポーターの足への装着パターン例を示すものである。
【図１０】母指側から見た右足と踵足首サポーターとを示す図であり、踵足首サポーターの足への装着パターン例を示すものである。
【図１１】母指側から見た右足と踵足首サポーターとを示す図であり、踵足首サポーターの足への装着パターン例を示すものである。
【発明を実施するための形態】
【００１８】
以下、本発明に係る踵足首サポーターの実施形態について説明する。
踵足首サポーター１００は、人体の足２００に装着可能な、伸縮性を有するものであって、図１〜図１１に示すように、それぞれ幅４ｃｍ〜７ｃｍの帯状に形成された足首ベルト１０と、裏側踵ホールドベルト２０と、患部押圧ベルト３０と、後側踵ホールドベルト４０とを備える。なお、図示例はいずれも右足用の踵足首サポーター１００である。
【００１９】
足首ベルト１０は、図３〜図５に示すように、足２００の内くるぶし２０１及び外くるぶし２０２の上方で足首２０３に巻き回されることにより足首２０３に固定可能に設けられている。
【００２０】
裏側踵ホールドベルト２０は、図１〜図５に示すように、長手方向の一端部が足首ベルト１０に固定され、その一端部から他端部にかけて足首ベルト１０の下方に向けて、足首ベルト１０に対して直交する方向に延びて設けられており、足首ベルト１０に連続して設けられて内くるぶし２０１近傍を覆うことができる内側カバー部２１と、この内側カバー部２１に連続して設けられて踵骨２１０前部の足裏２０４を覆うことができる足裏カバー部２２と、この足裏カバー部２２に連続して設けられて外くるぶし２０２近傍を覆うことができる外側カバー部２３とを備えている。また、裏側踵ホールドベルト２０は、一端部に設けられた固定部２４により、足首ベルト１０の幅方向の下側の内表面に固定されている。そして、裏側踵ホールドベルト２０は、他端部が足２００の外側に配置された足首ベルト１０の外表面に固定されることにより、伸張状態で足裏２０４を通して足２００に固定可能に設けられている。
【００２１】
患部押圧ベルト３０は、図１〜図３に示すように、長手方向の一端部が裏側踵ホールドベルト２０に固定され、その一端部から他端部にかけて裏側踵ホールドベルト２０から徐々に離れる方向の斜め前方に、例えば３０°〜６０°、好ましくは４０°の交差角度αで延びて設けられ、足２００の外側から足２００の甲側を通して足２００の内側に向かう方向に巻き回されて患部を覆うことができる押圧部３１を備えている。そして、患部押圧ベルト３０は、他端部が足首ベルト１０、裏側踵ホールドベルト２０、又は患部押圧ベルト３０自体の長手方向の途中位置のいずれかの外表面に固定されることにより伸張状態で患部を覆って足２００に固定可能に設けられている。
【００２２】
また、患部押圧ベルト３０の一端部は、図１〜図３に示すように、裏側踵ホールドベルト２０の足裏カバー部２２に交差して設けられており、その交差部分の基端側、すなわち足裏カバー部２２の幅方向の後半部側及び長手方向の上側にかかる位置において、足裏カバー部２２の外表面に固定されている。これにより、患部押圧ベルト３０の一端部には、足裏カバー部２２に固定された固定部３２と、その固定部３２に連続して設けられて足裏カバー部２２の幅方向の前半部側及び長手方向の下側にかかる位置において足裏カバー部２２の外表面に重ねられる重ね合せ部３３とが形成されている。この場合、固定部３２は、図１及び図２に示すように、平面視が直角三角形状に形成され、その斜辺が裏側踵ホールドベルト２０の側縁に沿って形成され、その端縁（短辺）は患部押圧ベルト３０の長手方向と直交して設けられている。
【００２３】
また、患部押圧ベルト３０の内表面には、患部を押圧する押圧パッド５０が配置されている。この押圧パッド５０は、全体として厚み方向（押圧方向）に弾性を有する部材により設けられ、例えば、布製の袋体の内部にナイロン等の曲げに対する弾性を有する複数の弾性繊維が三次元に凝集（点接触）したクッション材を充填することにより形成することができる。この場合、クッション材が弾性を有するので、押圧力を分散して患部を均一に圧迫できる。また、クッション材は繊維構造からなるので、空気を通すことができ、患部に湿気がこもることを防止できる。また、この押圧パッド５０は、患部押圧ベルト３０を幅方向にまたぐ保持ベルト５１を備え、患部押圧ベルト３０の長手方向に沿って移動可能に設けられている。したがって、押圧パッド５０は、患部押圧ベルト３０の押圧部３１の付け根（基端部）の重ね合せ部３３までの広い範囲で移動させることができる。
【００２４】
後側踵ホールドベルト４０は、図３〜図５に示すように、長手方向の一端部が内くるぶし２０１及び外くるぶし２０２の下方において裏側踵ホールドベルト２０に固定され、裏側踵ホールドベルト２０から後方に向けて足首ベルト１０と平行に（裏側踵ホールドベルト２０の長さ方向と直角に）延びて設けられ、踵骨２１０近傍の背部を覆うことができる後側カバー部４１を備えている。また、後側踵ホールドベルト４０は、一端部に設けられた固定部４２により、裏側踵ホールドベルト２０の幅方向の前半部側の外表面に固定されており、後側踵ホールドベルト４０の一端部には、裏側踵ホールドベルト２０の外表面に固定された固定部４２と、その固定部４２に連続して設けられて裏側踵ホールドベルト２０の幅方向の後半分側の外表面に重ねられる重ね合せ部４３とが形成されている。
【００２５】
この場合、固定部４２は、裏側踵ホールドベルト２０の幅の１／３〜１／４の幅で、後側踵ホールドベルト４０の全幅にわたって形成されている。したがって、重ね合せ部４３は、裏側踵ホールドベルト２０の幅の２／３〜３／４の範囲に重ねられることになる。重ね合せ部４３の幅は、少なくとも裏側踵ホールドベルト２０の幅の半分（１／２）以上であることが好ましい。そして、後側踵ホールドベルト４０は、他端部が足２００の外側に配置された外側カバー部２３の外表面に固定されることにより伸張状態で踵骨２１０の背部を覆って足２００の踵２０９に固定可能に設けられている。
【００２６】
また、踵足首サポーター１００は、全体が樹脂等の伸縮性に富んだ素材からなり、肌に触れる内表面は吸水性・吸湿性に優れた不繊布等の素材で覆われている。そして、足首ベルト１０、裏側踵ホールドベルト２０、患部押圧ベルト３０及び後側踵ホールドベルト４０の他端部には、各内表面に面ファスナーのフック面部１５Ａ，２５Ａ，３５Ａ，４５Ａがそれぞれ設けられている。また、これらフック面部１５Ａ，２５Ａ，３５Ａ，４５Ａに対応するループ面部が、足首ベルト１０、裏側踵ホールドベルト２０、患部押圧ベルト３０及び後側踵ホールドベルト４０の外表面のいずれかの部分に設けられている。本実施形態の踵足首サポーター１００にあっては、足首ベルト１０、裏側踵ホールドベルト２０、患部押圧ベルト３０及び後側踵ホールドベルト４０の外表面の全体に、ループ面部が設けられている。なお、踵足首サポーター１００のループ面部は、外表面の全体に設けられることから、図示を省略している。
【００２７】
以上のように構成された踵足首サポーター１００の装着方法を説明する。
まず、図３に示すように、足首ベルト１０を、内くるぶし２０１及び外くるぶし２０２のすぐ上方に巻回し、内表面のフック面部１５Ａを外表面のループ面部に貼り付け、図４及び図５に示すように足首２０３に装着する。このとき、裏側踵ホールドベルト２０の内側カバー部２１が内くるぶし２０１を覆って、足首ベルト１０から下方に延びるように、足首ベルト１０の位置を調節する。
【００２８】
次に、裏側踵ホールドベルト２０を、図４及び図５に示すように、足２００の内くるぶし２０１側（母指側）から足裏２０４を通り外くるぶし２０２側（小指側）へと伸張させ、裏側踵ホールドベルト２０の内表面のフック面部２５Ａを足首ベルト１０の外表面（ループ面部）に貼り付けて、裏側踵ホールドベルト２０を足２００に装着し固定する。このとき、人によって足２００のサイズは異なるものであるが、足首ベルト１０及び裏側踵ホールドベルト２０は、それぞれ帯状のベルトを巻き回して足２００に装着されるようになっているので、個人の足２００のサイズに対応して足首ベルト１０と裏側踵ホールドベルト２０の配置を微調節することが可能である。したがって、踵足首サポーター１００を個人の足２００に対応させて安定して装着できる。
【００２９】
このようにして、足２００に足首ベルト１０と裏側踵ホールドベルト２０とを固定した後、裏側踵ホールドベルト２０から延びる患部押圧ベルト３０と後側踵ホールドベルト４０とを装着して固定する。これら患部押圧ベルト３０と後側踵ホールドベルト４０の装着は、踵足首サポーター１００の使用目的により、順序が前後する。
【００３０】
例えば、足首の内反捻挫の防止、及び内反捻挫に起因する足底筋膜炎や踵骨炎の症例緩和のために踵足首サポーター１００を装着する場合は、患部押圧ベルト３０の装着をした後に、後側踵ホールドベルト４０の装着を行う。
具体的には、図６に示したように、裏側踵ホールドベルト２０から延びる患部押圧ベルト３０を伸張させながら、押圧パッド５０を炎症（外傷）を発症している患部（靭帯）に当て、さらに距骨２０６の前方、からショパール関節２０５に沿うように、上内側（母指斜め上方）に向けて伸張させ、脛骨２１１の外面（内くるぶし２０１）、アキレス腱２０８、腓骨２１２の外面（外くるぶし２０２の上方）に伸ばして、足首２０３の周囲に巻き回す。そして、患部押圧ベルト３０の他端部の内表面のフック面部３５Ａを踵足首サポーター１００の外表面のいずれかのループ面部に貼り付けて固定する。
【００３１】
このとき、患部押圧ベルト３０の一端部には、裏側踵ホールドベルト２０に交差する部分において、固定部３２に連続して重ね合せ部３３が設けられているので、裏側踵ホールドベルト２０に対する患部押圧ベルト３０の伸張方向の角度を容易に微調節できる。また、重ね合せ部３３により、裏側踵ホールドベルト２０の足裏カバー部２２を足裏２０４に圧迫でき、裏側踵ホールドベルト２０を足２００に安定して固定させた状態を保持できる。
したがって、図６に示すように、押圧パッド５０で患部を押圧して覆いながら、患部押圧ベルト３０で距骨２０６を後方に向けて押圧することができ、患部押圧ベルト３０を正しい状態で装着することができる。
【００３２】
そして、患部押圧ベルト３０を固定した後、足首ベルト１０と患部押圧ベルト３０との間において裏側踵ホールドベルト２０から延びる後側踵ホールドベルト４０を伸張させながら、内くるぶし２０１及び外くるぶし２０２の下方において、足２００の内側から踵骨２１０近傍の背部を通して足２００の外側に巻き回して固定する。これにより、足２００の内側に入った踵骨２１０を外側に引っ張ることができ、踵骨２１０を足の外側で固定することができる。したがって、後側踵ホールドベルト４０を踵２０９に固定することにより、内転した踵骨２１０の矯正を行えるとともに、踵骨２１０が足２００の内側に入ることを予防でき、内転した踵骨２１０の矯正及び踵骨２１０の内転予防を強固に行える。
【００３３】
また、後側踵ホールドベルト４０には、一端部に設けられた固定部４２に連続して、裏側踵ホールドベルト２０の幅方向の後半分側の外表面に重ねられる重ね合せ部４３が設けられているので、裏側踵ホールドベルト２０を重ね合せ部４３により足２００の内側に圧迫して、踵骨２１０を安定して足２００の内側から外側にかけて強固に押圧できる。
【００３４】
さらに、後側踵ホールドベルト４０の装着の際には、足首ベルト１０と裏側踵ホールドベルト２０とは、足２００に安定して固定された状態であるので、後側踵ホールドベルト４０を安定して固定できる。また、裏側踵ホールドベルト２０から足２００の後方に延びて設けられる後側踵ホールドベルト４０に対して、患部押圧ベルト３０が裏側踵ホールドベルト２０から斜め前方に延びて固定されているので、後側踵ホールドベルト４０を踵２０９に固定する際に、これら患部押圧ベルト３０と後側踵ホールドベルト４０との間で裏側踵ホールドベルト２０に加えられる張力を均衡させることができ、後側踵ホールドベルト４０を安定した状態で踵２０９に強固に固定できる。したがって、後側踵ホールドベルト４０により、踵骨２１０を安定した配置に確実に保持できる。
【００３５】
一方、踵足首サポーター１００は、二分靭帯損傷や第５中足骨捻挫の治療に用いることもできる。この場合も、図７及び図８に示すように、患部押圧ベルト３０の装着をした後に、後側踵ホールドベルト４０の装着を行う。
具体的には、図７及び図８に示したように、裏側踵ホールドベルト２０から延びる患部押圧ベルト３０を伸張させながら、押圧パッド５０を炎症（外傷）を発症している患部（靭帯や第５中足骨２２５）に当て、患部押圧ベルト３０を足２００の周囲に巻き回す。そして、患部押圧ベルト３０の他端部の内表面のフック面部３５Ａを踵足首サポーター１００の外表面のいずれかのループ面部に貼り付けて固定する。これにより、患部を安静に保持できる。
【００３６】
さらに、踵足首サポーター１００は、舟状骨炎の治療に用いることもできる。この場合には、図９に示すように、舟状骨２０７近傍の足裏２０４に押圧パッド５０を当て、患部押圧ベルト３０を伸張させながら足２００の周囲に巻き回す。そして、患部押圧ベルト３０の他端部の内表面のフック面部３５Ａを患部押圧ベルト３０の外表面のループ面部に貼り付けて固定する。このようにして、患部押圧ベルト３０を足２００に装着することで、舟状骨２０７を持ち上げることができる。
【００３７】
また、踵足首サポーター１００は、アキレス腱炎の治療に用いることもできる。例えば、アキレス腱付着部炎の治療においては、図１０に示すように、予め後側踵ホールドベルト４０を装着して踵骨２１０を固定しておき、後側踵ホールドベルト４０の上から、患部押圧ベルト３０を装着する。この際、アキレス腱２０８の付着部に押圧パッド５０を当て、患部押圧ベルト３０を伸張させながら足２００の周囲に巻き回す。そして、患部押圧ベルト３０の他端部のフック面部３５Ａを踵足首サポーター１００の外表面のループ面部に貼り付けて固定することで、アキレス腱２０８の付着部を押圧できる。
【００３８】
また、アキレス腱実質炎の治療においては、図１１に示すように、アキレス腱２０８に押圧パッド５０を当て、患部押圧ベルト３０を伸張させながら足首２０３の周囲に巻き回す。そして、患部押圧ベルト３０の他端部のフック面部３５Ａを踵足首サポーター１００の外表面のループ面部に貼り付けて固定することで、アキレス腱２０８を押圧できる。
【００３９】
図６〜図１１に示す上記のいずれの症例においても、後側踵ホールドベルト４０により、内転した踵骨２１０の矯正を行えるとともに、踵骨２１０が足２００の内側に入ることを予防でき、内転した踵骨２１０の矯正及び踵骨２１０の内転予防を強固に行えるので、他の組織が内側に引っ張られることがなく、患部の保護や治療を安定して行うことができる。
【００４０】
以上説明したように、踵足首サポーター１００は、個人差を生じることなく個人の足２００に安定して装着することが可能であり、後側踵ホールドベルト４０により、踵骨２１０を安定して保持できるので、確実に踵骨２１０の左右偏位を防止、矯正しながら、患部の保護や治療を行える。また、患部押圧ベルト３０により、種々の外傷症状の患部の各患部を被覆したり押圧したりすることが可能であるので、足首２０３周辺の骨及び関節の矯正や、外傷症状を緩和して、自由度の高い治療を行うことができる。
【００４１】
なお、本発明の実施形態は、前記構成のものに限定されるものではなく、細部構成においては、本発明の趣旨を逸脱しない範囲において種々の変更を加えることが可能である。
例えば、踵足首サポーターを耐水性・撥水性を有する樹脂ゴム等により形成すれば、水中でも装着でき、水泳時のバタ足などで弛緩した人体の保護も可能である。また、高齢者、青壮年、若年層など、装着者によって下肢関節の基礎的状態が異なることを考慮して、伸縮性の異なる素材を用いたり、全体の寸法を変更したりすることにより、より適切な保護・矯正が可能である。
また、踵足首サポーターを構成する各ベルト（足首ベルト、裏側踵ホールドベルト、患部押圧ベルト、後側踵ホールドベルト）の外表面に、目盛りを設けることで、各ベルトをどの程度伸張させて装着したかを確認することができる。
【符号の説明】
【００４２】
１５Ａ，２５Ａ，３５Ａ，４５Ａ  フック面部
２０  裏側踵ホールドベルト
２１  内側カバー部
２２  足裏カバー部
２３  外側カバー部
２４  固定部
３０  患部押圧ベルト
３１  押圧部
３２  固定部
３３  重ね合せ部
４０  後側踵ホールドベルト
４１  後側カバー部
４２  固定部
４３  重ね合せ部
５０  押圧パッド
５１  保持ベルト
１００  踵足首サポーター
２００  足
２０１  内くるぶし
２０２  外くるぶし
２０３  足首
２０４  足裏
２０５  ショパール関節
２０６  距骨
２０７  舟状骨
２０８  アキレス腱
２０９  踵
２１０  踵骨
２１１  脛骨
２１２  腓骨
２２５  第５中足骨
【要約】
【課題】足首周辺の骨や関節の矯正や外傷症状の緩和をする踵足首サポーターを提供する。
【解決手段】踵足首サポーターは、足首ベルト、裏側踵ホールドベルト、患部押圧ベルト、後側踵ホールドベルトを備え、足首ベルトは足首に固定可能に設けられ、裏側踵ホールドベルトは一端部が足首ベルトに固定され、他端部が足首ベルトの外表面に固定されることで伸張状態で足裏を通して足に固定可能であり、患部押圧ベルトは一端部が裏側踵ホールドベルトに固定され、他端部が足首ベルト、裏側踵ホールドベルト又は患部押圧ベルトの長手方向の途中位置のいずれかの外表面に固定されることで伸張状態で患部を覆って足に固定可能であり、後側踵ホールドベルトは一端部が内くるぶし及び外くるぶしの下方において裏側踵ホールドベルトに固定され、他端部が外側カバー部の外表面に固定されることで伸張状態で踵骨近傍の背部を覆って足の踵に固定可能である。
【選択図】      図３【図１】
0005963989.tif 000002
【図２】
0005963989.tif 000003
【図３】
0005963989.tif 000004
【図４】
0005963989.tif 000005
【図５】
0005963989.tif 000006
【図６】
0005963989.tif 000007
【図７】
0005963989.tif 000008
【図８】
0005963989.tif 000009
【図９】
0005963989.tif 000010
【図１０】
0005963989.tif 000011
【図１１】
0005963989.tif 000012